(57)【要約】本発明は、１〜２０のエチレンオキシ単位を有するＣ８〜Ｃ１８アルコールアルコキシレートのための、水性アルカリ性溶液中のハイドロトロープとして、ホスフェート化２−プロピルヘプタノールまたはホスフェート化２−プロピルヘプタノールアルコキシレートを使用する方法に関する。本発明は、ホスフェート化２−プロピルヘプタノールアルコキシレートそれ自体、並びに１〜２０のエチレンオキシ単位を有するＣ８〜Ｃ１８アルコールアルコキシレートと、ハイドロトロープとして、ホスフェート化２−プロピルヘプタノールおよび／またはホスフェート化２−プロピルヘプタノールアルコキシレートとを含んでいるアルカリ性洗浄用組成物にも関する。該洗浄用組成物は、硬質表面の工業的洗浄に、たとえば車体洗浄または皿洗い機に使用されることができる。【選択図】なし【特許請求の範囲】
【請求項１】
ホスフェート化２−プロピルヘプタノール、またはアルコキシレートが平均して１〜２０のエチレンオキシ単位並びに０〜３のプロピレンオキシおよび／若しくはブチレンオキシ単位を含んでいるホスフェート化２−プロピルヘプタノールアルコキシレートを、アルカリ性水性溶液中において、１〜２０のエチレンオキシ単位を有するＣ８〜Ｃ１８アルコールアルコキシレートのためのハイドロトロープとして使用する方法。
【請求項２】
Ｃ８〜Ｃ１８アルコールアルコキシレートが、式（I）
2008506804.tif 000022
（ここで、ＰＯはプロピレンオキシ基であり、ＥＯはエチレンオキシ基であり、ａは０〜３の数であり、およびｂは１〜８の数である。）を有する、請求項１に従う方法。
【請求項３】
ホスフェート化２−プロピルヘプタノールまたはホスフェート化２−プロピルヘプタノールアルコキシレートが、式（II）
2008506804.tif 000023
（この式で、ＭはＨ、一価金属イオンまたはＲ１Ｒ２Ｒ３Ｒ４Ｎ＋であり、ここで、Ｒ１、Ｒ２、Ｒ３、およびＲ４はＨ、１〜４の炭素原子を持つアルキル基または−ＣＨ２ＣＨ２ＯＨであり、並びにｃは０〜２０の数である。）を有する、請求項１または２に従う方法。
【請求項４】
ホスフェート化アルコキシレートが、
−式（II）の化合物、
−式（III）
2008506804.tif 000024
（ここで、ｎは１〜３であり、Ｍおよびｃは請求項３におけるのと同じ意味を持つ。）の化合物、
−式（IＶ）
2008506804.tif 000025
（ここで、Ｍおよびｃは請求項３におけるのと同じ意味を持つ。）の化合物、および
−式
2008506804.tif 000026
（ここで、Ｍおよびｃは請求項３におけるのと同じ意味を持つ。）の化合物
のうち２以上を含有する混合物で存在し、かつ式（II）の化合物が該混合物の少なくとも６０重量％の量で存在する、請求項１〜３のいずれか１項に従う方法。
【請求項５】
平均して２〜４のエチレンオキシ単位を含んでいる、ホスフェート化２−プロピルヘプタノールアルコキシレート。
【請求項６】
式（II）
2008506804.tif 000027
（この式で、ＭはＨ、一価金属イオンまたはＲ１Ｒ２Ｒ３Ｒ４Ｎ＋であり、ここで、Ｒ１、Ｒ２、Ｒ３、およびＲ４はＨ、１〜４の炭素原子を持つアルキル基または−ＣＨ２ＣＨ２ＯＨであり、並びにｃは２〜４の数である。）、
式（III）
2008506804.tif 000028
（ここで、ｎは１〜３であり、Ｍおよびｃは上記と同じ意味を持つ。）、
式（IＶ）
2008506804.tif 000029
（ここで、Ｍおよびｃは上記と同じ意味を持つ。）、および
式（Ｖ）
2008506804.tif 000030
（ここで、Ｍおよびｃは上記と同じ意味を持つ。）
の各式の1以上の生成物を含んでいる、請求項５に従うホスフェート化アルコキシレート。
【請求項７】
ａ）１〜２０のエチレンオキシ単位を含有する、Ｃ８〜Ｃ１８アルコールアルコキシレート０．２〜２０重量％、
ｂ）ホスフェート化２−プロピルヘプタノール、および／またはアルコキシレートが平均して１〜２０のエチレンオキシ単位および０〜３のプロピレンオキシ単位を含んでいるホスフェート化２−プロピルヘプタノールアルコキシレート０．１〜３０重量％、および
ｃ）アルカリ金属水酸化物および／またはアルカリ性錯化剤０．０５〜４０重量％
を含んでいる、洗浄用組成物。
【請求項８】
ａ）が２〜７のエチレンオキシ単位を含んでいるアルコールアルコキシレートであり、ｂ）が２〜４のエチレンオキシ単位を含んでいる、ホスフェート化２−プロピルヘプタノールアルコキシレートである、請求項７に従う組成物。
【請求項９】
ホスフェート化２−プロピルヘプタノール、並びに／または式（II）、（III）、（IＶ）および／若しくは（Ｖ）を有する、１以上のホスフェート化２−プロピルヘプタノールアルコキシレートをｂ）が含み、かつ式（II）の化合物が該混合物の少なくとも８０重量％の量で存在する、請求項７または８に従う組成物。
【請求項１０】
ａ）が式（I）（ここで、ａは０であり、かつｂは平均して３〜６である。）に従う２−プロピルヘプタノールアルコキシレートである、請求項７〜９のいずれか１項に従う組成物。
【請求項１１】
硬質表面の工業的洗浄に、請求項７〜１０のいずれか１項に従う組成物を使用する方法。
【請求項１２】
車体洗浄または皿洗い機による洗浄のための、請求項１１に従う方法。
【発明の詳細な説明】
【技術分野】
【０００１】
本発明は、１〜２０のエチレンオキシ単位を有するＣ８〜Ｃ１８アルコールアルコキシレートのための、水性アルカリ性溶液中のハイドロトロープとして、ホスフェート化２−プロピルヘプタノールまたはホスフェート化２−プロピルヘプタノールアルコキシレートを使用する方法に関する。本発明は、ホスフェート化２−プロピルヘプタノールアルコキシレートそれ自体、並びにホスフェート化２−プロピルヘプタノールおよび／またはホスフェート化２−プロピルヘプタノールアルコキシレートをハイドロトロープとして含んでいるアルカリ性洗浄用組成物にも関する。
【背景技術】
【０００２】
水性溶液が表面上に均一に広がる能力、いわゆる湿潤能力は、多くの用途にとって重要である。たとえば、硬質表面の洗浄用組成物は、該表面の良好な湿潤性によって効果が増す。良好な湿潤性は、洗濯並びに精錬処理およびマーセル法処理のためにも望ましい。非イオン界面活性剤は良好な湿潤剤として知られており、しばしば硬質表面の洗浄用組成物中に存在する。非常にしばしば、硬質表面の洗浄用組成物はアルカリ性成分も含有する。多くの非イオン界面活性剤は、大量の電解質、たとえば大量のアルカリおよび／またはアルカリ性錯化剤を有する溶液中に十分には可溶性でなく、したがって溶解性を改良するためにハイドロトロープの存在を必要とする。非イオン界面活性剤用の数多くのハイドロトロープが、各種の刊行物に記載されている。このようなハイドロトロープの例は、エタノール、キシレンスルホン酸ナトリウム、クメンスルホン酸ナトリウム、アルキルグルコシド、およびホスフェート化アルコキシル化アルコールである。
【０００３】
米国特許第５１４５５９７号には、機械装置の洗浄に有用なアルカリ性洗浄剤が記載されている。これらのアルカリ性洗浄剤は、ホスフェートエステルのハイドロトロープおよび非イオン界面活性剤を含んでいるが、実施例にはどのホスフェートエステルが使用されるのか特定されていない。
【０００４】
２〜４モルのエチレンオキシド（ＥＯ）でエトキシル化された、アルキル鎖中に８〜１２の炭素原子を持つアルコールから誘導されたエトキシル化ホスフェートエステルを含有する清洗浄組成物を、米国特許第４４９３７８２号は記載する。このホスフェートエステルは、ブタノール＋２ＥＯから調製された他のホスフェートエステルと組み合わされ、その場合、後者のホスフェートエステルは、該配合物を安定化するために加えられる。
【０００５】
米国特許第４１３７１９０号は、非イオン界面活性剤および相乗作用性ハイドロトロープ混合物を含んでいる洗浄剤組成物を開示する。実施例では、Ｐ２Ｏ５でホスフェート化されたフェノール＋６ＥＯおよびＰＰＡでホスフェート化されたブタノール＋１ＥＯまたはＰＰＡでホスフェート化されたイソアミルアルコール＋４ＥＯの組み合わせが使用されている。
【０００６】
米国特許第３２９４６９３号は、ポリエチレンオキシド非イオン界面活性剤をビルダー溶液中に溶解するためのハイドロトロープを開示する。該ハイドロトロープは、第一級ホスフェートエステルを８５％より多く含有する、界面活性物質である。ＰＰＡと、ＥＯ１〜２０モルを持つ、エトキシル化Ｃ６〜Ｃ１０アルキルフェノールまたはエトキシル化Ｃ１０〜Ｃ１８アルコールとの反応によって、これらのエステルは形成される。全ての実施例において、ホスフェート化オクチルフェノールエトキシレートが使用されている。
【０００７】
アルコール、アルキルアミン若しくはアルキルフェノールへのエチレンオキシドの付加によって得られた、界面活性非イオン性ポリエチレンオキシド付加体、およびアルキル基中に６〜１０の炭素原子を持つアルコキシル化アルキルフェノールのホスフェート、またはアルキル鎖中に１０〜１８の炭素原子を持つアルコキシル化アルコールのホスフェートであるハイドロトロープであって、該ハイドロトロープ性物質が第一級ホスフェートエステル９０％を含有するもの、を含んでいるアルカリ性洗浄剤に、ベルギー国特許第６３２４４４号は関する。実施例では、いくつかのホスフェート化アルコキシル化アルキルフェノール、並びにホスフェート化ドデシルアルコール＋１５ＥＯおよびホスフェート化ステアリルアルコール＋７．５ＥＯが、オクチルフェノール＋１０ＥＯを溶解化するためのハイドロトロープとして使用されている。
【０００８】
１０モルまで、好ましくは５モルまでのエチレンオキシドで予めエトキシル化されたアルコールから製造されたオルトリン酸エステルが、顔料分散剤として欧州特許第２５６４２７号に開示されている。挙げられたアルコールの中に、２−プロピルヘプタノールがある。
【０００９】
数多くのアルコールから製造された、オルトリン酸のモノおよびジエステルのアルカリ金属塩が、ハロゲン化ビニルモノマーの乳化重合による安定なラテックスの製造方法に使用される界面活性剤として、スイス国特許第４８１９５３号に開示されている。プロピルヘプチルが、これらのホスフェート中の１の可能な置換基として挙げられている。
【特許文献１】米国特許第５１４５５９７号公報
【特許文献２】米国特許第４４９３７８２号公報
【特許文献３】米国特許第４１３７１９０号公報
【特許文献４】米国特許第３２９４６９３号公報
【特許文献５】ベルギー国特許第６３２４４４号公報
【特許文献６】欧州特許第２５６４２７号公報
【特許文献７】スイス国特許第４８１９５３号公報
【発明の開示】
【発明が解決しようとする課題】
【００１０】
しかし、必ずしも全てのハイドロトロープおよび非イオン性物が、清澄で安定な溶液の達成および当座の用途における最適な性能を満たすとは限らないので、ある種の組成物に適した新規で効率的なハイドロトロープの必要性が依然として存在する。特に、いくつかの場合には、アルキル分岐されたアルコキシル化アルコールから得られた非イオン界面活性剤とハイドロトロープとを含有するアルカリ性溶液は、希釈されると分離するだろう。このようなアルコールアルコキシレートの例は、２−プロピルヘプタノールアルコキシレートであり、この場合、２−プロピルヘプタノールのアルキレンオキシド付加物、並びにハイドロトロープとしてのヘキシルグルコシドおよび／またはオクチルイミノジプロピオネートを含有する、清澄で均一なアルカリ性高濃度物は、直ぐに使用できる溶液とするために希釈されると、曇りまたは分離することになることを、試験は示した。
【００１１】
１〜２０のエチレンオキシ単位を含んでいるＣ８〜Ｃ１８アルコールアルコキシレート、特に２−プロピルヘプタノールアルコキシレートを含有する、清澄で均一な高濃度アルカリ性組成物であって、該組成物が希釈されても均一のまま留まり、かつその場合に該組成物の洗浄性能が良好である組成物、を作るのに効率的な新規なハイドロトロープを発見することが、本発明の目的である。
【課題を解決するための手段】
【００１２】
ホスフェート化２−プロピルヘプタノール、またはアルコキシレートが平均して１〜２０、好ましくは２〜１０、より好ましくは２〜６、さらにより好ましくは２〜４、最も好ましくは３のエチレンオキシ単位並びに０〜３、好ましくは０〜２のプロピレンオキシおよび／若しくはブチレンオキシ、好ましくはプロピレンオキシ単位を含んでいるホスフェート化２−プロピルヘプタノールアルコキシレートが、１〜２０、好ましくは１〜８、最も好ましくは２〜７のエチレンオキシ単位および０〜３、好ましくは０〜２のプロピレンオキシ単位を有する、Ｃ８〜Ｃ１８、好ましくはＣ８〜Ｃ１２のアルコールアルコキシレートのための、好ましくは式（I）
2008506804.tif 000002
（ここで、ＰＯはプロピレンオキシ基であり、ＥＯはエチレンオキシ基であり、ａは０〜３の数であり、およびｂは１〜８の数である。）に従う２−プロピルヘプタノールアルコキシレートのための、アルカリ性水性溶液中における効率的なハイドロトロープであることが、驚くべきことに今発見された。
【発明の効果】
【００１３】
本発明はさらに、
ａ）１〜２０、好ましくは１〜８、最も好ましくは２〜７のエチレンオキシ単位を含有する、Ｃ８〜Ｃ１８、好ましくはＣ８〜Ｃ１２のアルコールアルコキシレート、好ましくは式（I）
2008506804.tif 000003
（ここで、ＥＯ、ＰＯ、ａおよびｂは、上記と同じ意味を持つ。）を有する２−プロピルヘプタノールアルコキシレート０．２〜２０重量％、好ましくは２〜１０重量％
ｂ）ホスフェート化２−プロピルヘプタノール、および／またはアルコキシレートが平均して１〜２０、好ましくは２〜１０、より好ましくは２〜６、さらにより好ましくは２〜４、最も好ましくは３のエチレンオキシ単位および０〜３、好ましくは０〜２のプロピレンオキシ単位を含んでいるホスフェート化２−プロピルヘプタノールアルコキシレート、好ましくは式（II）
2008506804.tif 000004
（この式で、ＭはＨ、一価金属イオンまたはＲ１Ｒ２Ｒ３Ｒ４Ｎ＋であり、ここで、Ｒ１、Ｒ２、Ｒ３、およびＲ４はＨ、１〜４の炭素原子を持つアルキル基または−ＣＨ２ＣＨ２ＯＨであり、並びにｃは１〜２０、好ましくは２〜１０、より好ましくは２〜６、さらにより好ましくは２〜４、最も好ましくは３の数である。）に従うホスフェート化アルコキシレート０．１〜３０重量％、好ましくは０．１〜２０重量％、最も好ましくは０．１〜１０重量％、および
ｃ）アルカリ金属水酸化物および／またはアルカリ性錯化剤０．０５〜４０重量％、好ましくは０．０５〜３０重量％、より好ましくは０．０５〜２０重量％、最も好ましくは０．０５〜１５重量％
を含んでいる水性洗浄用溶液に関し、該水性洗浄用溶液は、希釈されても均一かつ安定である。これらの溶液の洗浄性能も非常に良好である。
【発明を実施するための最良の形態】
【００１４】
ホスフェート化２−プロピルヘプタノールまたはホスフェート化２−プロピルヘプタノールアルコキシレートは、種々の方法で得られることができ、最も普通であるのは、２−プロピルヘプタノールまたはアルコキシル化２−プロピルヘプタノールとポリリン酸または五酸化リン（Ｐ２Ｏ５）との反応である。
【００１５】
ポリリン酸を使用する方法では、得られる生成物混合物は、主に２−プロピルヘプタノールまたは２−プロピルヘプタノールアルコキシレートのモノアルキルホスフェートエステル、および少量（＜１０％）のみのジアルキルホスフェートエステルを含有するだろう。常に、ポリリン酸、たとえばオルトリン酸からの、かなり大量の無機リン酸塩残基が存在するだろう。
【００１６】
Ｐ２Ｏ５がホスフェート化試薬として使用され、かつＰ２Ｏ５とアルコールまたはアルコキシル化アルコールとのモル比が１：３であるときは、生成物混合物は、おおよそ等しい量のモノアルキルホスフェートエステルおよびジアルキルホスフェートエステル、並びにより少量のみの無機リン酸塩残基を含有するだろう。これより多い量のアルコールまたはアルコキシル化アルコールは、これより多くのジエステルをもたらし、またこれより少ない量は、これより多くのモノエステルをもたらすだろう。ある量のモノおよびジアルキルホスフェートエステルを有するホスフェートエステルの合成の仕方は、当業者には知られているだろう。ホスフェートエステルの一般的記載は、たとえばＷａｒｎｅｒ  Ｍ．Ｌｉｎｆｉｅｌｄ編、Ｓｕｒｆａｃｔａｎｔ  Ｓｃｉｅｎｃｅ  Ｓｅｒｉｅｓ、１９７６年、米国ニューヨークおよびスイス国バーゼル、Ｍａｒｃｅｌ  Ｄｅｋｋｅｒ社刊中のＡｎｉｏｎｉｃ  Ｓｕｒｆａｃｔａｎｔｓ、第７巻、第II部、５０４〜５１１ページを参照せよ。ホスフェート化されるべきアルコールアルコキシレートは、ＫＯＨのようなアルカリ性触媒を使用することによって製造された標準タイプのものか、あるいは酸触媒、Ｃａ（ＯＨ）２またはハイドロタルサイトのような狭範囲触媒を使用することによって製造された狭範囲タイプのものであることができる。
【００１７】
通常、該手順のいずれかから得られる反応混合物は、使用前に有機または無機塩基によって中和されるだろう。該塩基は、例としてアルカリ金属水酸化物、たとえば水酸化ナトリウム若しくは水酸化カリウム；アンモニア、アルカノールアミン、たとえばモノエタノールアミン、トリエタノールアミン若しくはメチルジエタノールアミン；またはアルキルアミン、たとえばトリエチルアミンであることができる。
【００１８】
２−プロピルヘプタノールの、またはエトキシル化２−プロピルヘプタノールのモノアルキルホスフェートエステルは、式（II）
2008506804.tif 000005
を有し、この式で、ＭはＨ、一価金属イオンまたはＲ１Ｒ２Ｒ３Ｒ４Ｎ＋であり、ここで、Ｒ１、Ｒ２、Ｒ３、およびＲ４はＨ、１〜４の炭素原子を持つアルキル基または−ＣＨ２ＣＨ２ＯＨであり、並びにｃは０〜２０、好ましくは２〜１０、より好ましくは２〜６、さらにより好ましくは２〜４、最も好ましくは３の数である。２−プロピルヘプタノールまたはエトキシル化２−プロピルヘプタノールとポリリン酸との反応から得られる生成物混合物は、より少量の、式（III）
2008506804.tif 000006
に従う、１より多いホスフェート単位を有する生成物を含有することもでき、ここで、ｎは１〜３であり、Ｍおよびｃは上記と同じ意味を持つ。
【００１９】
より少ない量のエチレンオキシ単位を有するエトキシレートでは、エチレンオキシ単位の分布の故に、ある量のエトキシル化されていない生成物も残留するだろう。このエトキシル化されていない生成物も、ホスフェート化剤との反応の間にホスフェート化されるだろう。したがって、２−プロピルヘプタノールのホスフェートエステルも、これらの上記のエトキシレートから得られる反応混合物中に存在するだろう。
【００２０】
２−プロピルヘプタノールのジアルキルホスフェートエステルは、式（IＶ）
2008506804.tif 000007
を有し、ここで、Ｍおよびｃは上記と同じ意味を持つ。２−プロピルヘプタノールまたはエトキシル化２−プロピルヘプタノールとＰ２Ｏ５との反応から得られる生成物混合物は、式（Ｖ）
2008506804.tif 000008
に従うジアルキルジホスフェートエステルを含有することもでき、ここで、Ｍおよびｃは上記と同じ意味を持つ。このタイプのジエステルは加水分解されて、２モルのモノエステルを生成することができる。
【００２１】
少量の副生成物、たとえば４−メチル−２−プロピルヘキサノールおよび５−メチル−２−プロピルヘキサノールをもたらす方法によって、２−プロピルヘプタノールは通常作られる。これらの生成物またはそのエトキシル化物も、本発明の方法の際にホスフェート化され、ホスフェート化された化学種が、得られた生成物混合物中に含まれるだろう。
【００２２】
ホスフェート化手順によって得られた反応混合物は、通常、何らかの精製手順なしにそのまま使用されるが、該混合物および精製されたホスフェートエステルのどちらもハイドロトロープとして機能する。良好なハイドロトロープとして作用するために、混合物は、主にモノアルキルホスフェートエステルを含有しなければならない。というのは、モノアルキルホスフェートエステルは、ジアルキルホスフェートエステルよりも良好なハイドロトロープであるからである。混合物の好ましくは６０重量％超、より好ましくは７０重量％超、最も好ましくは８０重量％超が、モノアルキルホスフェートエステルでなければならない。
【００２３】
ホスフェート化２−プロピルヘプタノール、またはホスフェート化２−プロピルヘプタノールアルコキシレートであって、該アルコキシレートが平均して１〜２０、好ましくは２〜１０、より好ましくは２〜６、さらにより好ましくは２〜４、最も好ましくは３のエチレンオキシ単位並びに０〜３、好ましくは０〜２のプロピレンオキシおよび／若しくはブチレンオキシ、好ましくはプロピレンオキシ単位を含んでいる上記のもの、およびこれらの製造方法は、前述の刊行物、欧州特許第２５６４２７号およびスイス国特許第４８１９５３号に、それぞれ、顔料の分散剤として、および乳化重合プロセスにおける添加剤として使用するために、既に部分的に開示されている。しかし、ホスフェート化２−プロピルヘプタノールアルコキシレートであって、該アルコキシレートが平均して２〜４、好ましくは３のエチレンオキシ単位を含んでいるものは、ホスフェート化された、２−プロピルヘプタノールの他のアルコキシ化物に比較して、ハイドロトロープとして特に効率的である（実施例の表１を参照せよ）。したがって、本発明は、ホスフェート化２−プロピルヘプタノールアルコキシレートであって、該アルコキシレートが平均して２〜４、好ましくは３のエチレンオキシ単位を含んでいるものそれ自体、およびその製造方法にも関する。
【００２４】
Ｃ８〜Ｃ１８アルコールアルコキシレートは、１〜２０のエチレンオキシ単位に加えて、３〜４の炭素原子を持つ、１〜３のアルキレノキシ単位も有することができる。該エチレンオキシ単位並びにプロピレンオキシおよび／またはブチレンオキシ単位は、ランダムにまたはブロックで付加されていることができる。該ブロックは、該アルコールに任意の順番で付加されていることができる。該アルコキシレートは、１〜４の炭素原子を持つアルキル基を末端位置に有してもよい。好ましくは、アルコキシレートは、２〜７のエチレンオキシ単位並びに０〜２のプロピレンオキシおよび／またはブチレンオキシ単位を有する。
【００２５】
硬質表面の洗浄のための洗浄用組成物に使用されるのに適したアルコキシレートは、式（I）
2008506804.tif 000009
を有し、ここで、ＰＯはプロピレンオキシ基であり、ＥＯはエチレンオキシ基であり、ａは０〜３、好ましくは０〜２の数であり、およびｂは１〜８、好ましくは２〜７、最も好ましくは３〜６の数である。２−プロピルヘプタノールが上述の副生成物を含有するときは、これらもアルコキシル化され、得られる生成物混合物中に含まれるだろう。２−プロピルヘプタノールアルコキシレート用のハイドロトロープとしてホスフェート化２−プロピルヘプタノールアルコキシレートを使用することによって得られる洗浄用高濃度物は、希釈されても清澄で安定であり、これらの成分を持つ洗浄用組成物は、良好な洗浄性能を示す。
【００２６】
洗浄用組成物が、織物用途に、たとえば洗濯に使用されることになるときは、アルコキシレートａ）は、好ましくはＣ８〜Ｃ１８アルコールの１モル当たりエチレンオキシ単位１〜２０モルの範囲の上の部分、たとえば７〜１５モルのＥＯの量を含まなければならない。
【００２７】
組成物中のアルカリ金属水酸化物は、好ましくは水酸化ナトリウムまたはカリウムである。アルカリ性錯化剤は、無機性並びに有機性であることができる。アルカリ性組成物中に使用される無機錯化剤の典型的な例は、シリケートおよびホスフェートのアルカリ塩、たとえばケイ酸ナトリウム、メタケイ酸ナトリウム、トリポリリン酸ナトリウム、オルトリン酸ナトリウム、ピロリン酸ナトリウム、および対応するカリウム塩である。有機錯化剤の典型的な例は、アルカリ性アミノポリホスホネート、有機ホスフェート、ポリカルボキシレート、たとえばシトレート；アミノカルボキシレート、たとえばニトリロ三酢酸ナトリウム（Ｎａ３ＮＴＡ）、エチレンジアミン四酢酸ナトリウム（ＥＤＴＡ）、ジエチレントリアミン五酢酸ナトリウム、１，３−プロピレンジアミン四酢酸ナトリウム、およびヒドロキシエチルエチレンジアミン三酢酸ナトリウムである。組成物中に存在するアルカリの量は、用途、および該組成物が高濃度物であるか、または直ぐに使用できる溶液であるかに依存する。いくつかの用途は、高アルカリ性溶液を使用し、たとえば精錬用には、アルカリ濃度はＮａＯＨを使用するときは約４〜６重量％であり、マーセル法用には、約２０〜２６重量％の苛性ソーダ溶液が使用される。車体洗浄用の高濃度組成物は通常、アルカリおよび／またはアルカリ性錯化剤６重量％〜１５重量％を含有し、直ぐに使用できる溶液は通常、０．２〜５重量％を含有する。洗濯用には、アルカリおよび／またはアルカリ性錯化剤の量は、これより低く、通常、高濃度物中で３〜１０重量％、直ぐに使用できる溶液中で０．１〜１重量％の量である。
【００２８】
本発明の高濃度組成物は、清澄で安定である。清澄な区間は、好適には０〜４０℃、好ましくは０〜５０℃、最も好ましくは０〜６０℃である。ハイドロトロープと非イオン界面活性剤との比を変えることによって、これは調整されることができる。高濃度物は、水を通常５０〜９５重量％、好適には７０〜９０重量％含有する。
【００２９】
直ぐに使用できる溶液を得るために、高濃度物は１：４０まで水で希釈される。希釈された溶液も清澄で安定であるが、ある場合には、依然として安定で分離しないけれども、僅かに曇ることがある。直ぐに使用できる溶液は、良好な洗浄特性を示す。車体洗浄用の典型的な高濃度配合物は、ａ）を３〜５重量％、ｂ）を３〜５重量％、およびｃ）を５〜１０重量％含有し、また直ぐに使用できる溶液は通常、ａ）を０．２〜１重量％、ｂ）を０．２〜１重量％、およびｃ）を０．５〜１重量％含有するだろう。
【００３０】
本発明は、以下の実施例によってさらに例証される。
【実施例１】
【００３１】
非イオン界面活性剤、５重量％
Ｎａ３ＮＴＡ（ニトリロ三酢酸ナトリウム）、１０重量％
ハイドロトロープ、Ｘ重量％、および
水、残部
を含有する配合物が作られた。
【００３２】
表２に述べられた清澄区間を溶液が示すような量で、ハイドロトロープが加えられた。全ての百分率は重量による。
【表１】
2008506804.tif 000010
【００３３】
表１の配合物の洗浄効率を評価するために、以下の洗浄試験が使用された。すなわち、白く塗装された板が、ジーゼルエンジンから得られた油−煤混合物で汚された。２５ｍｌの試験溶液、この場合１：２０に希釈された表１の配合物が、油で汚された板の上面上に注がれ、そこに１分間放置された。板はそれから十分な流水ですすがれた。全ての溶液および水は、約１５〜２０℃の温度に保たれた。全ての参照溶液が、試験溶液と同じ板上に置かれた。洗浄能力が、Ｍｉｎｏｌｔａ  Ｃｈｒｏｍａ  Ｍｅｔｅｒ  ＣＲ−２００反射率計を用いて測定され、結果が汚れ除去率％として提示される。結果は表２にまとめられる。
【表２】
2008506804.tif 000011
【００３４】
ハイドロトロープとして、ホスフェート化２−プロピルヘプタノールまたはホスフェート化２−プロピルヘプタノールアルコキシレートを含有する配合物は、ＣＨ３Ｃｌで４級化された、ヤシ油脂肪族アミン＋１７ＥＯを含有する比較配合物よりも良好な洗浄性能を示した。洗浄効率は２の別の板、すなわちI、II、III、およびIＶでの一方の板、並びにＶ、ＶI、ＶII、およびIＶでの他方の板で試験されたので、比較配合物には２つの数値がある。
【実施例２】
【００３５】
２−プロピルヘプタノール＋５ＥＯのためのハイドロトロープとしての、ホスフェート化２−プロピルヘプタノール＋５ＥＯとホスフェート化ヘキサノール＋５ＥＯとの比較に、この実施例は関する。
【表３】
2008506804.tif 000012
【表４】
2008506804.tif 000013
【００３６】
０〜６０℃の清澄区間を得るために、ホスフェート化ヘキサノール＋５ＥＯと比較して、より少量のホスフェート化２−プロピルヘプタノール＋５ＥＯが必要であった。
【００３７】
ホスフェート化２−プロピルヘプタノール＋５ＥＯをハイドロトロープとして持つ配合物は、ホスフェート化ヘキサノール＋５ＥＯを持つ配合物とおおよそ同じ洗浄効率を示したが、水で希釈されると、前者は後者よりもはるかに安定であった。
【実施例３】
【００３８】
２−プロピルヘプタノール＋５ＥＯのためのハイドロトロープとしての、多数のホスフェート化エトキシル化アルコールとホスフェート化２−プロピルヘプタノール＋５ＥＯとを、この実施例は比較する。
【表５】
2008506804.tif 000014
【表６】
2008506804.tif 000015
【００３９】
本発明に従う配合物は、希釈後の良好な安定性とともに、全ての検討された配合物のうちで最良の洗浄性能を示した。
【実施例４】
【００４０】
全ての配合物に同量のハイドロトロープが加えられた配合物を、表７は示す。該種々の配合物の洗浄効率が、表８に示される。
【表７】
2008506804.tif 000016
【表８】
2008506804.tif 000017
【００４１】
本発明に従う配合物は、比較配合物よりも効率的である。
【実施例５】
【００４２】
この実施例では、ホスフェート化２−プロピルヘプタノール＋５ＥＯが、数多くの非イオン界面活性剤にハイドロトロープとして加えられ、該配合物がその洗浄効率を試験された。
【表９】
2008506804.tif 000018
【表１０】
2008506804.tif 000019
【００４３】
ホスフェート化２−プロピルヘプタノール＋５ＥＯが、２−プロピルヘプタノールアルコキシレート以外の他の非イオン性物のためのハイドロトロープとしても働くこと、及びこれら配合物の洗浄効率は一般に良いことを、この結果は示す。
【実施例６】
【００４４】
この実施例では、本発明に従う組成物の湿潤能力が、修正されたＤｒａｖｅの試験法（ｍｏｄｉｆｉｅｄ  Ｄｒａｖｅ’ｓ  ｔｅｓｔ）で試験された。
【表１１】
2008506804.tif 000020
【００４５】
修正されたＤｒａｖｅの試験法では、約０．１％の界面活性剤の溶液中で特定の綿糸が沈降する時間が、秒で測定される。表１１の配合物は、Ｃ９〜Ｃ１１アルコール＋４ＥＯに関して０．１重量％まで蒸留水で希釈され、そして修正されたＤｒａｖｅの試験がこの溶液について実施された。結果が表１２に示される。
【表１２】
2008506804.tif 000021
【００４６】
ホスフェート化２−プロピルヘプタノール＋５ＥＯをエトキシレートのためのハイドロトロープとして含有する配合物は、良好な湿潤能力を持っていたが、一方、上記別の成分だけでは湿潤時間は＞４２０秒間であった。Ｃ９〜Ｃ１１アルコールは、ハイドロトロープなしではこのアルカリ性媒体に可溶性でなく、またホスフェート化２−プロピルヘプタノール＋５ＥＯは、それ自体良好な湿潤能力を持たない。ハイドロトロープが加えられると、非イオン界面活性剤は可溶化され、そうするとその湿潤能力を発揮することが可能になる。
【実施例７】
【００４７】
後述の合成では、錨型撹拌子を備えた１，０００ｃｍ３のフランジ付きフラスコが使用された。該反応器は、サーモスタットを備えた電気ヒーターで加熱された。反応の間、僅かの窒素流が加えられた。使用されたポリリン酸（ＰＰＡ）は、Ｐ２Ｏ５８４％に相当する「ポリリン酸１１６」（Ａｌｂｒｉｇｈｔ  ＆  Ｗｉｌｓｏｎ社製）であった。
【００４８】
１）２−プロピルヘプタノール＋ＰＰＡ
【００４９】
２−プロピルヘプタノール（２２２．４７ｇ、１．４１モル）が仕込まれ、４５℃まで加熱された。６０ｍｌの注射器からＰＰＡ（２５４．０９ｇ）が加えられ、そして２４０回転／分で撹拌されながら、発熱反応が５５〜７０℃に保たれた。１時間にわたってＰＰＡが加えられた。それから６０℃で２時間、３００回転／分で撹拌されながら、反応が温置された。該後反応の後、水（５．０ｇ）が加えられて、残留するＰＰＡが加水分解され、その後、水５５５．０ｇ中に溶解されたＫＯＨ（２７４．４ｇ）で、酸が中和された。
【００５０】
２）２−プロピルヘプタノール＋３ＥＯ＋ＰＰＡ
【００５１】
２−プロピルヘプタノール＋３ＥＯ（２９５．６３ｇ、１．０２モル）が仕込まれ、４５℃まで加熱された。６０ｍｌの注射器からＰＰＡ（１８４．９５ｇ）が加えられ、そして２４０回転／分で撹拌されながら、発熱反応が５５〜７０℃に保たれた。１時間にわたってＰＰＡが加えられた。それから６０℃で２時間、３００回転／分で撹拌されながら、反応が温置された。該後反応の後、水（５．０ｇ）が加えられて、残留するＰＰＡが加水分解され、その後、水４５４ｇ中に溶解されたＫＯＨ（１９１ｇ）で、酸が中和された。
【００５２】
３）２−プロピルヘプタノール＋５ＥＯ＋ＰＰＡ
【００５３】
２−プロピルヘプタノール＋５ＥＯ（３０７．７１ｇ、０．８１モル）が仕込まれ、４５℃まで加熱された。６０ｍｌの注射器からＰＰＡ（１４８ｇ）が加えられ、そして２４０回転／分で撹拌されながら、発熱反応が５５〜７０℃に保たれた。１時間にわたってＰＰＡが加えられた。それから６０℃で２時間、３００回転／分で撹拌されながら、反応が温置された。該後反応の後、水（５．０ｇ）が加えられて、残留するＰＰＡが加水分解され、その後、水５１７ｇ中に溶解されたＫＯＨ（１３２．３７ｇ）で、３７４．０２ｇの酸が中和された。
【国際調査報告】
2008506804.tif 000031
2008506804.tif 000032
2008506804.tif 000033
2008506804.tif 000034